(57)【要約】      （修正有）【課題】  蛇腹状に一頁毎に折り畳まれた連続紙が、折り畳まれたままの頁が展開されずに、折り畳まれたままの頁があるか否かを検出する。【解決手段】  連続紙は、蛇腹状に一頁毎に折り畳まれた状態では重ならない位置に、各頁毎に検知孔が設けられている。よって折り畳みが展開された状態であれば検知孔を検知できるが、折り畳まれたままの頁は検知孔が隠れてしまい検知できない。したがって、容易に確実に折り畳まれたままの頁があるか否かを検出できる連続紙となっている。【選択図】    図５
2007044938.tif 000002
【特許請求の範囲】
【請求項１】
蛇腹状に一頁毎に折り畳まれて画像形装置に収納され、折り畳みを展開して搬送されて画像が形成される連続紙であって、
蛇腹状に折り畳まれた状態では重ならない位置に、各頁毎に検知孔が設けられていることを特徴とする連続紙。
【請求項２】
前記検知孔は、搬送方向に等間隔で形成され、トラクタピンが係合して当該連続紙を搬送するためのトラクタ孔と同一列上に設けられていることを特徴とする請求項１に記載の連続紙。
【請求項３】
前記検知孔は、各頁に切り離した後に綴じる綴じ孔を兼ねることを特徴とする請求項１に記載の連続紙。
【請求項４】
蛇腹状に一頁毎に折り畳まれた状態で収納し、折り畳みを展開して搬送する連続紙に画像を形成する画像形成装置であって、
前記連続紙は、蛇腹状に折り畳まれた状態では重ならない位置に、各頁毎に検知孔が設けられ、
当該画像形成装置には、
前記検知孔を検知する検知手段と、
前記検知手段が一頁以上に渡って前記検知孔を検知しない場合、折り畳まれたままの頁があると判断する判断手段と、
を備えることを特徴とする画像形成装置。
【請求項５】
前記連続紙には、搬送方向に等間隔でトラクタ孔が形成され、
当該画像形成装置には、前記トラクタ孔にトラクタピンを係合させて前記連続紙を搬送するトラクタ搬送機構を備え、
前記検知孔は、前記トラクタ孔と同一列上に設けられていることを特徴とする請求項４に記載の画像形成装置。
【請求項６】
前記検知手段は、前記検知孔と前記トラクタ孔との両方を検知して検知信号を出力し、
前記判断手段は、検知手段が一頁以上に渡って等間隔で検知信号を出力すると、折り畳まれたままの頁があると判断することを特徴とする請求項５に記載の画像形成装置。
【請求項７】
前記判断手段は、検知手段が前記トラクタ孔の間隔より長く検知信号を出力しない場合は、前記連続紙が正しく搬送されていないと判断することを特徴とする請求項６に記載の画像形成装置。
【請求項８】
前記検知孔は、各頁に切り離した後に綴じる綴じ孔を兼ねることを特徴とする請求項４に記載の画像形成装置。
【請求項９】
前記判断手段は、前記検知孔の検知周期と搬送速度とから、前記連続紙の一頁の長さを算出することを特徴とする請求項４から請求項８のいずれか１項に記載の画像形成装置。
【発明の詳細な説明】
【技術分野】
【０００１】
本発明は、連続紙、及び画像形成装置に関する。
【背景技術】
【０００２】
蛇腹状に一頁毎に折り畳まれた連続紙を、折り畳みを展開して搬送させて画像を形成する画像形成装置が知られている。（例えば、特許文献1、特許文献２参照）。
【０００３】
さて、このような画像形成装置において、連続紙の折り畳みが解消されずに重なった状態のまま画像が形成されると、下記のような問題が発生する。
【０００４】
１．折り畳まれた頁には画像が形成されないので、途中に空白頁が入ってしまう
２．両面印刷を行う場合、表面の裏面とで印字すべきデータが異なる（別々の頁に分かれて印刷されてしまう）
したがって、上記の問題を防止するため、用紙搬送路をカーブさせ連続紙のコシを利用たり、互いに逆方向に回転するローラで連続紙を挟み込んだりして、折り畳みを展開する方法をとっている。
【０００５】
しかし、折り畳まれたままの頁があっても、異常発生を知らせたり自動的に装置を停止することができなかった。
【特許文献１】特願２００４−７４７３０
【特許文献２】特願２００４−３９８４４
【発明の開示】
【発明が解決しようとする課題】
【０００６】
本発明は、上記問題を解決すべく成されたもので、蛇腹状に一頁毎に折り畳まれた連続紙が展開されずに、折り畳まれたままの頁があるか否かを検出することを目的とする。
【課題を解決するための手段】
【０００７】
請求項１の連続紙は、蛇腹状に一頁毎に折り畳まれて画像形装置に収納され、折り畳みを展開して搬送されて画像が形成される連続紙であって、蛇腹状に折り畳まれた状態では重ならない位置に、各頁毎に検知孔が設けられていることを特徴とする
請求項１の連続紙は、蛇腹状に一頁毎に折り畳まれた状態では重ならない位置に、各頁毎に検知孔が設けられている。よって、折り畳みが展開された状態であれば検知孔を検知できるが、折り畳まれたままの頁は、検知孔が隠れてしまい検知できない。
【０００８】
したがって、容易に確実に折り畳まれたままの頁があるか否かを検出できる連続紙となっている。
【０００９】
請求項２の連続紙は、請求項１に記載の構成において、前記検知孔は、搬送方向に等間隔で形成され、トラクタピンが係合して当該連続紙を搬送するためのトラクタ孔と同一列上に設けられていることを特徴としている。
【００１０】
請求項２の連続紙は、搬送方向に等間隔で形成され、トラクタピンが係合して当該連続紙を搬送するためのトラクタ孔と同一列上に検知孔が設けられている。よって、例えば、画像形成する領域が狭くならない。
【００１１】
請求項３の連続紙は、請求項１に記載の構成において、前記検知孔は、各頁に切り離した後に綴じる綴じ孔を兼ねることを特徴としている。
【００１２】
請求項３の連続紙は、検知孔が各頁に切り離した後に綴じる綴じ孔を兼ねているので、便利である。
【００１３】
請求項４の画像形成装置は、蛇腹状に一頁毎に折り畳まれた状態で収納し、折り畳みを展開して搬送する連続紙に画像を形成する画像形成装置であって、前記連続紙は、蛇腹状に折り畳まれた状態では重ならない位置に、各頁毎に検知孔が設けられ、当該画像形成装置には、前記検知孔を検知する検知手段と、前記検知手段が一頁以上に渡って前記検知孔を検知しない場合、折り畳まれたままの頁があると判断する判断手段と、を備えることを特徴としている。
【００１４】
請求項４の画像形成装置は、画像を形成する連続紙に、蛇腹状に一頁毎に折り畳まれた状態では重ならない位置に、各頁毎に検知孔が設けられている。よって、折り畳みが展開された状態であれば検知孔を検知できるが、折り畳まれたままの頁は、検知孔が隠れてしまい検知できない。
【００１５】
したがって、検知手段が一頁以上に渡って検知孔を検知しない場合、判断手段は折り畳まれたままの頁があると判断する。
【００１６】
そして、この判断結果に基づき、例えば、連続紙の搬送を停止したりオペレータの折り畳まれたままの頁がある旨の異常発生のエラー表示を行なう。
【００１７】
請求項５の画像形成装置は、請求項４に記載の構成において、連続紙には、搬送方向に等間隔でトラクタ孔が形成され、当該画像形成装置には、前記トラクタ孔にトラクタピンを係合させて前記連続紙を搬送するトラクタ搬送機構を備え、前記検知孔は、前記トラクタ孔と同一列上に設けられていることを特徴としている。
【００１８】
請求項５の画像形成装置は、検知孔がトラクタ孔と同一列上に設けられている。よって、画像形成領域が狭くならない。
【００１９】
請求項６の画像形成装置は、請求項５に記載の構成において、前記検知手段は、前記検知孔と前記トラクタ孔との両方を検知して検知信号を出力し、前記判断手段は、検知手段が一頁以上に渡って等間隔で検知信号を出力すると、折り畳まれた頁があると判断することを特徴としている。
【００２０】
請求項６の画像形成装置は、検知手段が検知孔とトラクタ孔との両方を検知して検知信号を出力する。
【００２１】
トラクタ孔は所定の等間隔であいているので、トラクタ孔を検知した検知信号も等間隔である。しかし、検知孔を検知したときのみ等間隔でなくなる。また、折り畳みが展開した状態であれば検知孔を検知できるが、折り畳まれた頁は、検知孔が隠れてしまい検知できない。なお、トラクタ孔は所定の等間隔であいているので折り畳まれた頁でも、トラクタ孔同士が重なり隠れないので検知できる。
【００２２】
よって、判断手段は、検知手段が一頁以上に渡って等間隔で検知信号を出力した場合、すなわち、一頁以上に渡ってトラクタ孔のみを検知し、検知孔が検知されない場合は、折り畳まれたままの頁があると判断する。
【００２３】
そして、この判断結果に基づき、例えば、連続紙の搬送を停止したり、折り畳まれたままの頁がある旨の異常発生のエラー表示を行なう。
【００２４】
請求項７の画像形成装置は、請求項６に記載の構成において、前記判断手段は、検知手段が前記トラクタ孔の間隔より長く検知信号を出力しない場合は、前記連続紙が正しく搬送されていないと判断することを特徴としている。
【００２５】
請求項７の画像形成装置は、連続紙が正常に搬送されている場合、トラクタ孔の間隔で検知信号が出力する。よって、判断手段は、検知手段がトラクタ孔の間隔より長く検知信号を出力しない場合、例えば、ジャムが発生し、連続紙が正しく搬送されていないと判断する。
【００２６】
請求項８の画像形成装置は、請求項４に記載の構成において、前記検知孔は、各頁に切り離した後に綴じる綴じ孔を兼ねることを特徴としている。
【００２７】
請求項８の画像形成装置は、検知孔が各頁に切り離した後に綴じる綴じ孔を兼ねているので、便利である。
【００２８】
請求項９の画像形成装置は、請求項４から請求項８のいずれか１項に記載の構成において、前記判断手段は、前記検知孔の検知周期と搬送速度とから、前記連続紙の一頁の長さを算出することを特徴としている。
【００２９】
請求項９の画像形成装置は、判断手段が検知孔の検知周期と搬送速度とから、連続紙の一頁の長さを算出する。
【００３０】
そして例えば、別途入力された一頁の長さと比較し、正しいか否かを判断する。或いは、検知結果を表示し、オペレータに現在搬送されている連続紙の頁長を知らせる。
【発明の効果】
【００３１】
連続紙には、蛇腹状に一頁毎に折り畳まれた状態では重ならない位置に、各頁毎に検知孔が設けられているので、折り畳まれたままの頁があるか否かを容易に確実に検出できる。
【発明を実施するための最良の形態】
【００３２】
図１は、本発明の実施の形態に係る画像形成装置１２の構成を模式的に示している。画像形成装置１２は、コントローラ（以下、ＰＣという）１６と繋がっている。ＰＣ１６は画像データを送信するときに、ユーザが操作するためのものである。このＰＣ１６には、ＣＰＵ、ＲＯＭ、ＲＡＭ、及びネットワーク通信部等を備えた一般的なコンピュータを用いることができる。
【００３３】
図４（Ｂ）に示すように、連続紙Ｐ１は搬送方向と直交する方向のミシン目Ｓが一定の間隔で形成されている。なお、ミシン面Ｓの間が一頁ＰＡである。このような連続紙Ｐ１は、図２にも示すように、蛇腹状に一頁ＰＡ毎に折り畳むことができる。また、画像を形成後、ミシン目Ｓで切り離し頁ＰＡ毎のシートにする。
【００３４】
また、連続紙Ｐ１の側縁部には、トラクタ機構６０，６１のトラクタピン７４（図３参照、詳細は後述する）が係合するトラクタ孔７３が搬送方向に等間隔で形成されている。さらに、各頁ＰＡの先頭から一つ目と二つ目のトラクタ孔７３の間の略中央に、トラクタ孔７３と同じ大きさの検知孔９９が形成されている。なお、トラクタ孔７３と検知孔９９は同一列上にある。また、検知孔９９は、蛇腹状に一頁ＰＡ毎に折り畳まれた状態では、重ならない位置となる。つまり、折り畳まれたままの頁ＰＡでは、検知孔９９は隠れてしまう。（図５（Ｂ）参照）。
【００３５】
図１に示すように、このような連続紙Ｐ１が蛇腹状に一頁ＰＡ毎に折り畳まれ、画像形成装置１２の収容部１４に収容されている。収容部１４に収容された連続紙Ｐ１は、搬送ローラ１６によって折り畳みを展開して搬送され、画像形成部３０によって画像が形成される。画像が形成された連続紙Ｐ１は、回収部１８に再び折り畳まれて回収される。
【００３６】
また、画像形成装置１２は、装置全体を制御する制御部３２を備えている。制御部３２は、ＰＣ１６から受信した印刷データに基づき、画像形成部３０を制御し、連続紙Ｐ１に画像を形成する。
【００３７】
画像形成部３０において、Ｂ方向に回転する感光体４２は、帯電装置４４、４６により一様に帯電された後、ＬＥＤユニット４８により露光される。これによって、感光体４２に画像に応じた静電潜像が形成される。感光体４２に形成された静電潜像は、現像機５０により現像されトナー像となる。
【００３８】
連続紙供給装置１８から画像形成装置１２へ供給された連続紙Ｐ１はトラクタ搬送機構６０（図３参照、詳細は後述）によって転写器５２に搬送され、転写器５２により感光体４２表面のトナー像が連続紙Ｐ１に転写される。
【００３９】
トナー像が転写された連続紙Ｐ１は、トラクタ搬送機構６１（図３参照、詳細は後述）によって定着装置５８へ搬送され、トナー像が連続紙Ｐ１に定着する。トナー像が定着した連続紙Ｐ１は、排紙ローラ３８によって回収部１８に回収される。
【００４０】
なお、連続紙Ｐ１へのトナー像の転写後、転写装置５２によって連続紙Ｐ１に転写されずに残存した感光体４２の表面のトナーは、クリーニング装置５４で除去される。そして除電ＬＥＤ装置５６によって感光体４２全面を除電し、再び帯電装置４４、４６によって、感光体４２の電位を均一に帯電する。
【００４１】
トラクタ搬送機構６０、６１は、図３（Ａ）に示すように、搬送方向前後に配置された２つのローラ１６０、１６２に巻き掛けられた駆動ベルト６４を備えている。この駆動ベルト６４は、連続紙Ｐ１の幅方向両端部（図中の手前側と奥側）にそれぞれ配設されている。各ローラ１６０、１６２は、支持体６６に回転可能に支持されており、モータ６８でローラ６２を回転することにより駆動ベルト６４が周回移動する。
【００４２】
駆動ベルト６４の表面には、連続紙Ｐ１のトラクタ孔７３と係合する複数のトラクタピン７４が等間隔で立設されている。そして、図３（Ａ）、（Ｂ）に示すように、駆動ベルト６４の周回移動により、トラクタピン７４が連続紙Ｐ１のトラクタ孔７３に係合し、連続紙Ｐ１を搬送する。なお、モータ６８の回転は判断手段３２（図１参照）によって制御される。
【００４３】
図１に示すように、搬送ロール１６とトラクタ搬送機構６０との間には、センサー２０が設けられている。センサー２０は、反射型、或いは透過型などの光学センサーであり、図４（Ａ）に示すように、搬送されている連続紙Ｐ１のトラクタ孔７３及び検知孔９９を検知して検知信号を出力する。出力された検知信号は制御部３２に送られる。なお、トラクタ孔７３と検知孔９９は、同一列上に並んでおり、しかも同じ大きさであるので、ひとつのセンサー２０でトラクタ孔７３及び検知孔９９の両方を検知できる。また、出力される検知信号も区別されない。
【００４４】
次ぎに、連続紙Ｐ１に、折り畳まれたままの頁ＰＡがあるか否かの検出について説明する。
【００４５】
図４に示すように、トラクタ孔７３は等間隔で開いているので、センサー２０は所定の周期ｔで検知信号を出力する。また、一頁ＰＡは、周期Ｍ（＝一頁ＰＡ中のトラクタ孔数×周期ｔ）である。
【００４６】
さて、検知孔９９は折り畳みが展開している場合は、一頁ＰＡ毎、すなわち、周期Ｍ以内に必ず検知される。また、検知孔９９はトラクタ孔７３間の中央に位置しているので、そのときの検知信号は周期ｔ／２となる。
【００４７】
しかし、図５に示すように、折り畳まれたままの頁ＰＡは、検知孔９９が重ならないので隠れてしまい、検知されない。なお、トラクタ孔７３は各頁ＰＡで同一位置にあり、折り畳まれた頁ＰＡでも、トラクタ孔７３が重なるので隠れない。よって、トラクタ孔７３は検知される。
【００４８】
よって、周期Ｍ（一頁ＰＡ中のトラクタ孔数×周期ｔ）より長く、検知信号が周期ｔのままで出力され続けた場合（換言すると、一頁以上に渡って検知孔９９が検知されなかった場合）、制御部３２は、搬送されている連続紙Ｐ１に折り畳まれたままの頁ＰＡがあると判断し、連続紙Ｐ１の搬送を止め、ＰＣ１６に、折り畳まれたままの頁がある旨のエラー表示を行なう。
【００４９】
図６は、制御プログラム中に組み込まれた、上述した、折り畳みまれたままの頁を検出するタイマー処置のフローチャートである。
【００５０】
まず、ステップ１０２で連続紙Ｐ１が搬送中か否かを判定する。搬送中でなければ、ステップ１０４に進み、検出時間及び検出回数のカウンタをクリアしてタイマー処置を終了する。搬送中であれば、ステップ１０６に進む。
【００５１】
ステップ１０６で、孔（この場合はトラクタ孔７３及び検知孔９９の両方を含む）を検知しなかった場合は、ステップ１０８に進み、検出時間カウンターに１を加えて、タイマー処置を終了する。ステップ１０６で、孔を検知した場合は、ステップ１１０に進む。
【００５２】
ステップ１１０では、前回の孔の検知信号から０．８ｔ以内であるか否かを判定する。なお、この判定は、検知した孔がトラクタ孔７３と検知孔９９のどちらであるかを判定している。つまり、検知孔９９の場合は、検知信号が周期０．５ｔとなり、トラクタ孔７３の場合は１．０ｔとなるからである。なお、このときの判定基準は、周期ｔ未満であれば良いが、測定誤差などを考慮して０．８ｔ以内とした。
【００５３】
ステップ１１０で周期が０．８ｔ以内、すなわち、検知孔９９を検知したと判定した場合は、ステップ１０４に進み、検出時間及び検出回数のカウンタをクリアしてタイマー処置を終了する。０．８ｔより大きい、すなわち、トラクタ孔７３を検知したと判定した場合は、ステップ１１２に進む。
【００５４】
ステップ１１２では、検出時間カウンタをクリアすると共に、検出回数カウンタに１を加えてステップ１１４に進む。
【００５５】
ステップ１１４では、検出回数カウンタに周期ｔをかけたものが周期Ｍより大きいか否かを判定する。なお、この判定は、一頁以上、検知孔９９を検知していないか、すなわち、折り畳まれている頁ＰＡがあるか否かを判定している。検出回数カウンタに周期ｔをかけたものが周期Ｍより以下の場合は、すなわち、折り畳まれていない場合は、タイマー処置を終了する。検出回数カウンタに周期ｔをかけたものが周期Ｍより大きい場合は、すなわち、折りまれている頁ＰＡを検出した場合は、ステップ１１６に進む。
【００５６】
ステップ１１６で、搬送動作を停止すると共に、ＰＣ１６に折り畳まれたままの頁があった旨のエラー表示を行ない、タイマー処置を終了する。
【００５７】
さて、本実施形態の構成において、連続紙Ｐ１にジャムが発生したか否かの検出も可能である。具体的には、連続紙Ｐ１が正常に搬送されていれば、検知信号が周期ｔ以上になることはないので、周期ｔより長い間、検知信号が出力されなければ、連続紙Ｐ１が正常に搬送されていない、つまりジャムが発生したと判断できる。
【００５８】
よって、次ぎに、ジャムが発生したか否かの検出を含むタイマー処置のフローチャートについて、図７を用いて説明する。なお、図６のフローチャートと同じ処理を行なうステップは同一のステップ番号としている。また、この同じ処理のステップの説明は省略する。
【００５９】
ステップ２０２で前回の孔の検出から２ｔ以上であるか否かを判定する。なお、この判定は、連続紙Ｐ１が正常に搬送されているか否かを判定している。このときの判定基準は、周期ｔより大きければ良いが、測定誤差などを考慮して２ｔ以上とした。
【００６０】
２ｔより小さければ、正常であるので、タイマー処置を終了する。２ｔ以上の場合は、連続紙Ｐ１が正常に搬送されていない、つまりジャムが発生したと判断し、ステップ２０４に進む。ステップ２０４では、連続紙の搬送を停止し、ＰＣ１６にジャムが発生した旨のエラー表示を行なう。
【００６１】
つぎに、本実施形態の作用について説明する。
【００６２】
いままで説明したように、連続紙Ｐ１に、展開されずに折り畳まれたままの頁があるか否かを検出している。（図４は折り畳みが展開した状態、図５は折り畳まれたままの頁がある状態）。
【００６３】
よって、折り畳まれたままの頁ＰＡがあることによる不具合、例えば、
１．折り畳まれた頁に画像が形成されないで、途中に空白頁が入ってしまう
２．両面印刷を行う場合、表面の裏面とで印字すべきデータが異なる（別々の頁に分かれて印刷されてしまう）
などを確実に防止できる。
【００６４】
つぎに、連続紙のバリエーションについて説明する。
【００６５】
まず、第一のバリエーションについて説明する。
【００６６】
図８に示すように、連続紙Ｐ２の検知孔９８は、トラクタ孔７３と異なる列上にある。ただし、検知孔９８は、蛇腹状に一頁ＰＡ毎に折り畳まれた状態では重ならない位置である。また、センサー２０は、検知孔９８のみを検知し、トラクタ孔７３は検知しない。
【００６７】
このような構成の連続紙Ｐ２は、図８（Ａ）に示すように、折り畳みが展開していれば、検知信号は周期Ｍで出力される。しかし、折り畳まれた状態の場合、検知信号は、周期２Ｍ以上となる。
【００６８】
よって、制御部３２は、検知信号の周期２Ｍ以上の場合、折り畳まれたままの頁がある判定する。
【００６９】
なお、さらに、制御部３２は、検知孔９８の周期Ｍと、別途測定した搬送速度とから、連続紙Ｐ２の一頁ＰＡの長さを算出して出力する。
【００７０】
そして、この算出された頁長さをＰＣ１６に表示する。
【００７１】
或いは、別途、オペレータ等によって入力された頁長と比較することで、印刷しようとしている頁長の連続紙Ｐ２が装着されているか否かを判定し、もし異なっている場合は、搬送を停止すると共にＰＣ１６にエラー表示を行なう。
【００７２】
第二のバリエーションとして、図９に示すように、検知孔９８と線対称の位置に孔９７をあけることで、図９（Ｃ）に示すように、各頁ＰＡに切り離した後に綴じる綴じ孔を兼ねる構成としても良い。
【図面の簡単な説明】
【００７３】
【図１】本発明の実施の形態に係る画像形成装置を模式的に示す図である。
【図２】連続紙を示す図である。
【図３】トラクタ搬送機構を示す、（Ａ）は斜視図、（Ｂ）は側面図である。
【図４】（Ａ）は折り畳みが展開している連続紙の検知信号を示し、（Ｂ）は折り畳みが展開している連続紙を示す図である。
【図５】（Ａ）は折り畳まれたままの頁がある連続紙の検知信号を示し、（Ｂ）は折り畳まれたままの頁がある連続紙を示す図である。
【図６】折り畳まれたままの頁があるか否かを検出するためのタイマー処理のフローチャートである。
【図７】図６のフローチャートに、連続紙が正常に搬送されているか否かを検出する処理が追加されたタイマー処理のフローチャートである。
【図８】（Ａ）は折り畳まれたままの頁がある第一のバリエーションの連続紙の検知信号を示し、（Ｂ）は折り畳まれたままの頁がある第一のバリエーションの連続紙を示す図である。
【図９】（Ａ）は折り畳まれたままの頁がある第二のバリエーションの連続紙の検知信号を示し、（Ｂ）は折り畳まれたままの頁がある第二のバリエーションの連続紙を示し、（Ｃ）は第二のバリエーションの連続紙を頁毎に切り離して綴じた状態を示す図である。
【符号の説明】
【００７４】
１２      画像形装置
２０      センサー（検知手段）
３２      制御部（判断手段）
６０      トラクタ搬送機構
６１      トラクタ搬送機構
９８      検知孔
７３      トラクタ孔
７４      トラクタピン
９９      検知孔
Ｐ１      連続紙
Ｐ２      連続紙
Ｐ３      連続紙
【図１】
2007044938.tif 000003
【図２】
2007044938.tif 000004
【図３】
2007044938.tif 000005
【図４】
2007044938.tif 000006
【図５】
2007044938.tif 000007
【図６】
2007044938.tif 000008
【図７】
2007044938.tif 000009
【図８】
2007044938.tif 000010
【図９】
2007044938.tif 000011